(57)【要約】【課題】安全に効率よく水路の清掃を行うことができる水路清掃器具を提供する。【解決手段】水路清掃器具１０は、柄部１１Ａの先端に水路２０を清掃するための幅広のさじ部１１Ｂが設けられた清掃具１１と、この清掃具１１を支持する支持部１２と、この支持部１２に対して回転可能に配設された主車輪１３と、支持部１２に配設され、作業員が持って動きを操作するためのハンドル１４とを備えている。清掃具１１は、例えば、柄部１１Ａを回転軸として回転可能とされ、さじ部１１Ｂを開口２２と平行にして容易に水路２０の中に挿入することができるようになっている。【選択図】図１
2017155502.tif 000002
【特許請求の範囲】
【請求項１】
水路を清掃するための水路清掃器具であって、
柄部の先端に水路を清掃するための幅広のさじ部が設けられた清掃具と、
この清掃具を支持する支持部と、
この支持部に対して回転可能に配設された主車輪と、
前記支持部に配設され、作業員が持って動きを操作するためのハンドルと
を備えたことを特徴とする水路清掃器具。
【請求項２】
前記支持部に配設され、前記主車輪を駆動させる駆動部と、
前記ハンドルに配設され、前記駆動部を制御する制御部と
を備えたことを特徴とする請求項１記載の水路清掃器具。
【請求項３】
前記清掃具は前記柄部を回転軸として回転可能とされ、前記水路に対する前記さじ部の向きを変更可能とされたことを特徴とする請求項１又は請求項２記載の水路清掃器具。
【請求項４】
前記主車輪よりも進行方向において後方に位置し、前記支持部に対して配設された補助輪を備えたことを特徴とする請求項１から請求項３のいずれか１に記載の水路清掃器具。
【請求項５】
前記清掃具は前記支持部よりも進行方向において後方に配置されたことを特徴とする請求項１から請求項４のいずれか１に記載の水路清掃器具。
【発明の詳細な説明】
【技術分野】
【０００１】
本発明は、道路の側縁等に設けられた水路を清掃するための水路清掃器具に関する。
【背景技術】
【０００２】
一般に、道路の側縁には雨水等を流すための水路が設けられている。水路としては、上方が広く開口されたものもあるが、例えば、断面形状が円形等であり、上方の開口幅を円形水路の最大径よりも小さく形成して、走行車両のタイヤがはまらないように、又は、空き缶が入らないようにしたものがある。このような水路では、開口の幅が狭いので清掃しにくく、通常の方法では水路に溜まった土やごみなどを十分に清掃することができない。そこで、従来は、例えば、スコップのように棒状の柄部の先端に幅広のさじ部を設けた清掃具を用い、この清掃具のさじ部を開口から水路に挿入し、柄部を一人の作業員が持つと共に、柄部にワイヤーロープをつけてトラックで牽引して、溜まっている土やごみなどをさじ部でますまで移動させることにより掃除を行っていた。
【先行技術文献】
【特許文献】
【０００３】
【特許文献１】特開平１０−１６８８４７号公報
【発明の概要】
【発明が解決しようとする課題】
【０００４】
しかしながら、従来の方法では清掃具をトラックで牽引していたので、例えば、さじ部が水路の目地部等に引っ掛かっても、トラックを直ぐに止めることができず、トラックに引っ張られて作業員が転倒する恐れがあるという問題があった。また、牽引作業のため、トラックの運転手１人、トラックの誘導員１人、道具を持つ人１人、水路及びますでごみを拾う人１人の合計４人の作業員が必要となり、作業効率が悪いという問題もあった。
【０００５】
本発明は、このような問題に基づきなされたものであり、安全に効率よく水路の清掃を行うことができる水路清掃器具を提供することを目的とする。
【０００６】
なお、特許文献１には、入口の狭い円形水路を清掃する水路清掃用カートが記載されている。しかし、この水路清掃用カートは、舵取り装置を有する四輪カートに放水用の放水銃を備えたものであり、放水銃から水を水路に放出して清掃するものである。よって、本願発明とは構成が全く異なっている。
【課題を解決するための手段】
【０００７】
本発明の水路清掃器具は、水路を清掃するためのものであって、柄部の先端に水路を清掃するための幅広のさじ部が設けられた清掃具と、この清掃具を支持する支持部と、この支持部に対して回転可能に配設された主車輪と、支持部に配設され、作業員が持って動きを操作するためのハンドルとを備えたものである。
【発明の効果】
【０００８】
本発明の水路清掃器具によれば、柄部の先端に幅広のさじ部が設けられた清掃具を主車輪が設けられた支持部により支持し、作業者が支持部に配設されたハンドルを持って操作できるようにしたので、例えば、１人の作業者が水路清掃器具を持ち、さじ部を水路に挿入して移動させることにより、容易に水路を清掃することができる。
【０００９】
よって、牽引せずに作業者が操作して清掃することができるので、例えば、さじ部が水路の目地部等に引っ掛かった場合には、直ぐに移動を停止することができ、安全に作業を行うことができる。また、牽引のためのトラックの運転手及びトラックの誘導員が不要となるので、従来は４人の作業員で行っていた作業を、水路清掃器具を操作する作業員１人と水路及びますでごみを拾う作業員１人の合計２人とすることができ、作業効率を向上させることができる。
【００１０】
また、主車輪を駆動する駆動部を備え、ハンドルに配設した制御部により駆動部を制御するようにすれば、操作性もよく、かつ、清掃能力をより高めることができる。
【００１１】
更に、柄部を回転軸として清掃具を回転可能とし、水路に対するさじ部の向きを変更可能とするようにすれば、水路の開口の幅が狭くても、さじ部の向きを変えることにより、容易に水路の中にさじ部を挿入することができる。
【００１２】
加えてまた、主車輪よりも進行方向において後方に補助輪を設けるようにすれば、又は、清掃具を支持部よりも進行方向において後方に配置するようにすれば、より安定して水路清掃器具を操作し、水路を清掃することができる。
【図面の簡単な説明】
【００１３】
【図１】本発明の一実施の形態に係る水路清掃器具の構成を表す図である。
【図２】図１に示した水路清掃器具で清掃する水路の一構成例を表す図である。
【発明を実施するための形態】
【００１４】
以下、本発明の実施の形態について図面を参照して詳細に説明する。
【００１５】
図１は、本発明の一実施の形態に係る水路清掃器具１０の構成を表すものである。図２は、図１に示した水路清掃器具１０で清掃する水路２０の一構成例を表すものであり、水路２０の長さ方向に対して垂直な断面構造を表している。この水路清掃器具１０は、例えば、水路２０を清掃するためのものであり、柄部１１Ａの先端に水路２０を清掃するための幅広のさじ部１１Ｂが設けられた清掃具１１と、この清掃具１１を支持する支持部１２と、この支持部１２に対して回転可能に配設された主車輪１３と、支持部１２に配設され、作業員が持って動きを操作するためのハンドル１４とを備えている。
【００１６】
この水路清掃器具１０により清掃する水路２０としては、例えば、水路２０の長さ方向に対して垂直な断面において、水路２０の上方に、両側部からそれぞれ突出して形成された一対の庇部２１を有し、この一対の庇部２１の間に、水路２０の最大幅よりも幅の狭い開口２２を設けたものが好ましい。このような水路２０は、開口２２の幅を狭くすることにより、バイクのタイヤがはまらないように、又は、空き缶が入らないようにしたものであるが、開口２２が狭いので清掃が難しい。なお、図２では、水路２０の長さ方向に対して垂直な断面形状を円形としたが、円形に限るものではなく、楕円形、四角形、Ｕ字形、或いは、扇形等どのような形状でもよい。また、水路２０の最大幅は例えば２００ｍｍから４００ｍｍ程度であり、開口２２の幅は例えば５０ｍｍから６０ｍｍ程度である。
【００１７】
清掃具１１は、例えば、スコップ形状であり、柄部１１Ａの太さは、水路２０の開口２２の幅よりも小さく構成され、例えば、２０ｍｍから３０ｍｍ程度であることが好ましい。さじ部１１Ｂは、例えば、金属により構成されていることが好ましく、水路２０に溜まっている土やごみなどを効率よく移動させることができるように幅広に形成されていることが好ましい。さじ部１１Ｂの形状は、水路２０の形状に合わせて選択することができ、例えば、扇形、Ｕ字形、四角形、或いは、半円形が好ましく挙げられる。
【００１８】
清掃具１１は、例えば、柄部１１Ａを回転軸として回転可能とされ、水路２０に対するさじ部１１Ｂの向きを変更可能とされていることが好ましい。水路２０の開口２２の幅が狭くても、さじ部１１Ｂの向きを変えることにより、さじ部１１Ｂを開口２２と平行にして容易に水路２０の中に挿入することができ、水路２０のます部から挿入する必要がないからである。また、清掃具１１は、上下方向に位置を変更可能とされていることが好ましい。例えば、清掃具１１を支持部１２に対して固定具１１Ｃにより固定する構成とし、固定を解除して、清掃具１１の向き及び上下方向の位置を調整できるようにすることが好ましい。
【００１９】
清掃具１１は、また、支持部１２よりも進行方向において後方に配置されていることが好ましい。支持部１２の進行方向において前方に配置するよりも、ハンドル１４すなわち手元に近いので、安定性を高くすることができ、より容易に操作することができるからである。清掃具１１は、更に、進行方向に対して垂直な幅方向、すなわち作業員から見て左右方向に位置を変更可能とされていることが好ましい。道路の側縁に縁石が設けられている場合等、水路清掃器具１０を側縁に寄せることが難しく、清掃具１１を幅方向において中央に位置させていたのでは、水路２０に清掃具１１を挿入することが難しい場合があるからである。
【００２０】
主車輪１３は、支持部１２の両側に２輪以上ずつ、合計４輪以上を設けられることが好ましい。安定性を高くすることができるからである。なお、主車輪１３は、駆動輪とすることが好ましく、例えば、水路清掃器具１０は、主車輪１３を駆動させるエンジン等の駆動部１５と、この駆動部１５を制御する制御部１６とを備えていることが好ましい。操作性に優れるからである。駆動部１５は、例えば支持部１２に配設され、制御部１６は、例えばハンドル１４に配設されることが好ましい。操作性に優れるからである。駆動部１５には、ガソリン等の燃料を入れるタンク１７が設けられることが好ましい。
【００２１】
ハンドル１４は、例えば、支持部１２から進行方向の後方に向かって伸長して設けられていることが好ましい。作業者が進行方向に向かい前を見て歩くことができるので、操作性に優れるからである。なお、ハンドル１４の角度又は高さは、変更可能とされることが好ましい。作業者により力を入れやすい角度又は高さに調整できるようにするためである。
【００２２】
また、水路清掃器具１０は、例えば、補助輪１８を備えていることが好ましい。補助輪１８は、例えば、従動輪とすることが好ましく、主車輪１３の進行方向に対して後方に位置するように支持部１２に対して配設されることが好ましい。安定性をより向上させることができるからである。補助輪１８は、例えば、幅方向に間隔を開けて２輪設けられることが好ましく、２輪の補助輪１８の間隔は、変更可能とされることが好ましい。
【００２３】
この水路清掃器具１０は、例えば、次のようにして用いることができる。まず、清掃する水路２０の上に水路清掃器具１０を配置し、清掃具１１の固定具１１Ｃを解除して、柄部１１Ａを回転軸として清掃具１１を回転させ、さじ部１１Ｂの幅広方向を水路２０の開口２２の長さ方向と平行にする。次いで、さじ部１１Ｂを開口２２から水路２０に挿入し、水路２０の中に入ったら、柄部１１Ａを回転軸として清掃具１１を回転させ、さじ部１１Ｂの幅広方向を水路２０の長さ方向に対して直角とし、固定具１１Ｃで固定する。
【００２４】
続いて、作業員がハンドル１４を持ち、ハンドル１４に配設された制御部１６により駆動部１５を駆動させて主車輪１３を回転させ、水路清掃器具１０を移動させる。これにより、さじ部１１Ｂは水路２０の中を移動し、水路２０に溜まっている土やごみを水路２０のますまで移動させる。ますに移動させた土やごみは、ごみ袋等に収納する。
【００２５】
なお、従来のように、清掃具をトラックで牽引して水路清掃を行った場合には、約５００ｍ／日の施工能力であったが、本実施の形態に係る水路清掃器具１０を用いて水路清掃を行った場合には、約６００ｍ／日の施工能力が得られ、従来よりも施工能力を向上させることできた。
【００２６】
このように本実施の形態によれば、柄部１１Ａの先端に幅広のさじ部１１Ｂが設けられた清掃具１１を主車輪１３が設けられた支持部１２により支持し、作業者が支持部１２に配設されたハンドル１４を持って操作できるようにしたので、例えば、１人の作業者が水路清掃器具１０を持ち、さじ部１１Ｂを水路２０に挿入して移動させることにより、容易に水路２０を清掃することができる。
【００２７】
よって、牽引せずに作業者が操作して清掃することができるので、例えば、さじ部１１Ｂが水路２０の目地部等に引っ掛かった場合には、直ぐに移動を停止することができ、安全に作業を行うことができる。また、牽引のためのトラックの運転手及びトラックの誘導員が不要となるので、従来は４人の作業員で行っていた作業を、水路清掃器具１０を操作する作業員１人と水路２０及びますでごみを拾う作業員１人の合計２人とすることができ、作業効率を向上させることができる。
【００２８】
また、主車輪を駆動する駆動部１５を備え、ハンドル１４に配設した制御部１６により駆動部１５を制御するようにすれば、操作性もよく、かつ、清掃能力をより高めることができる。
【００２９】
更に、柄部１１Ａを回転軸として清掃具１１を回転可能とし、水路２０に対するさじ部１１Ｂの向きを変更可能とするようにすれば、水路２０の開口の幅が狭くても、さじ部１１Ｂの向きを変えることにより、容易に水路２０の中にさじ部１１Ｂを挿入することができる。
【００３０】
加えてまた、主車輪１３よりも進行方向において後方に補助輪１８を設けるようにすれば、又は、清掃具１１を支持部１２よりも進行方向において後方に配置するようにすれば、より安定して水路清掃器具１０を操作し、水路２０を清掃することができる。
【００３１】
以上、実施の形態を挙げて本発明を説明したが、本発明は上記実施の形態に限定されるものではなく、種々変形可能である。例えば、上記実施の形態では、各構成要素についても具体的に説明したが、全ての構成要素を備えていなくてもよく、また、他の構成要素を備えていてもよい。
【産業上の利用可能性】
【００３２】
道路の側縁等に設けられた水路の清掃に用いることができる。
【符号の説明】
【００３３】
１０…水路清掃器具、１１…清掃具、１１Ａ…柄部、１１Ｂ…さじ部、１１Ｃ…固定具、１２…支持部、１３…主車輪、１４…ハンドル、１５…駆動部、１６…制御部、１７…燃料タンク、１８…補助輪、２０…水路、２１…庇部、２２…開口
【図１】
2017155502.tif 000003
【図２】
2017155502.tif 000004